(57)【要約】【課題】数多くの洗濯物を干しても変形し難く、また、洗濯物の片寄りを防止し、一つの洗濯物を複数のピンチで干すときに、洗濯物の幅に適度に一致したピンチ間の間隔を作る。【解決手段】２つ折り可能なメインフレーム200の内部にサブフレーム214が連設されている。サブフレーム214は、複数の縦メンバ216と複数の横メンバ218とが交差した格子状のフレーム構造を有する。メインフレーム200の外周ピンチ220とは別に、物干しハンガー2とセット売りされる複数のフックピンチ400を有し、このフックピンチ400は縦メンバ２１６、横メンバ２１８に脱着可能にフック掛けすることができる。【選択図】図１
0003152969.tif 000002
【実用新案登録請求の範囲】
【請求項１】
物干し竿にフック掛けする物干しハンガーであって、
平面視したときにハンガーの外形輪郭を規定するメインフレームと、
該メインフレームの延び方向に略等間隔にチェーンを介して取り付けられた複数の外周ピンチと、
前記メインフレームの内部に設けられ、該メインフレームに連設されたサブフレームとを有し、
前記サブフレームが、互いに交差する複数のメンバで構成され、
該メンバに、前記外周ピンチとは別のフックピンチを脱着可能にフック掛けすることにより、ピンチの数を追加することができることを特徴とする物干しハンガー。
【請求項２】
前記サブフレームが、前記複数のメンバによって形成された格子状のフレーム構造を有する、請求項１に記載の物干しハンガー。
【請求項３】
前記メインフレームが、平面視コ字状の２つのハーフフレームで構成された平面視矩形の形状を有し、
前記２つのハーフフレームの端同士をヒンジピンで連結することにより収納時に前記メインフレームを２つ折りの状態にすることができる、請求項１又は２に記載の物干しハンガー。
【請求項４】
前記複数のメンバが、前記メインフレームの長手方向に延び且つ互いに平行に延びる複数の縦メンバと、前記メインフレームの横方向に延び且つ互いに平行に延びる複数の横メンバとで構成され、
前記縦メンバと前記横メンバが等しい断面形状を有すると共に等しい太さを有する、請求項３に記載の物干しハンガー。
【請求項５】
物干し竿にフック掛けする物干しハンガーと、フックピンチの群との組み合わせからなるハンガーセットであって；
前記物干しハンガーが、
平面視したときにハンガーの外形輪郭を規定するメインフレームと、
該メインフレームの延び方向に略等間隔にチェーンを介して取り付けられた複数の外周ピンチと、
前記メインフレームの内部に設けられ、該メインフレームに連設されたサブフレームであって、互いに交差する複数のメンバで構成されたサブフレームとを有し；
前記フックピンチが、チェーンを介して連結されたフックを有し；
任意の数の前記フックピンチを前記サブフレームの前記メンバに脱着可能にフック掛けすることにより、ピンチの数を追加することができることを特徴とするハンガーセット。
【請求項６】
物干し竿にフック掛けする物干しハンガーと、フックピンチの群との組み合わせからなるハンガーセットであって；
前記物干しハンガーが、
該物干しハンガーの平面視矩形の外形輪郭を規定するメインフレームと、
該メインフレームの延び方向に略等間隔に取り付けられた複数の外周ピンチと、
前記メインフレームの内部に設けられ、該メインフレームに連設されたサブフレームとを有し、
前記サブフレームが、前記メインフレームの長手方向に延び且つ互いに平行に延びる複数の縦メンバと、前記メインフレームの横方向に延び且つ互いに平行に延びる複数の横メンバとで構成されると共に、前記縦メンバと前記横メンバとが互いに直角に交差した格子状のフレーム構造を有し；
前記フックピンチが、チェーンを介して連結されたフックを有し；
任意の数の前記フックピンチを前記縦メンバ及び／又は前記横メンバに脱着可能にフック掛けすることにより、ピンチの数を追加することができることを特徴とするハンガーセット。
【考案の詳細な説明】
【技術分野】
【０００１】
この考案は、数多くの洗濯物を干すのに用いられる物干しハンガー及びハンガーセットに関し、ハンガーセットは、物干しハンガーとフックピンチの群とからなり、任意の数のフックピンチが物干しハンガーに脱着可能にフック掛けできる。
【背景技術】
【０００２】
小さな占有スペース内に数多くの洗濯物を干すことを目的とした物干し器具が広く使用されており、特許文献１に見られるパラソル式の物干し具の他に、特許文献２〜４に見られる物干しハンガーが知られている。
【０００３】
特許文献２は、ハンガーを平面視したときに、その外形輪郭を規定する平面視矩形のメインフレームと、このメインフレームと一体成形された合計二本の横ロッドと合計四本の縦ロッドとで構成された物干しハンガーを開示している。合計二本の横ロッドはメインフレームの長手方向中央部分に互いに平行に延びており、また、合計四本の縦ロッドは二本で対を構成して、各横ロッドとこれに対向するメインフレームの端メンバとの間に、縦ロッドの対が互いに平行に延びている。
【０００４】
特許文献３は、平面視矩形のメインフレームを２つのハーフフレームで構成し、この２つのハーフフレームの端同士をヒンジピンで連結して、収納時に２つ折りすることのできる物干しハンガーを開示している。この特許文献３の物干しハンガーでは、各ハーフフレームの延び方向に等間隔に取り付けられた複数のピンチを有し、このピンチを使って洗濯物を吊り下げることができる。
【０００５】
特許文献４は、特許文献３と同様に、平面視矩形のメインフレームを２つのハーフフレームで構成し、この２つのハーフフレームの端同士をヒンジピンで連結して、収納時に２つ折りすることのできる物干しハンガーを開示している。この特許文献４の物干しハンガーは、メインフレームの内部に横方向に延びる複数の横ロッドを有し、この複数の横ロッドがメインフレームの長手方向に互いに平行に配列されている。そして、各横ロッドには一対のピンチが互いに離間接近可能に設けられ、洗濯物の幅に応じて一対のピンチの間隔を調整できるようになっている。
【先行技術文献】
【特許文献】
【０００６】
【特許文献１】特開２００８−１４２３７７号公報
【特許文献２】特開２００８−２３７８５１号公報
【特許文献３】特開２００３−３２６０９６号公報
【特許文献４】特開平１０−８０５９７号公報
【考案の概要】
【考案が解決しようとする課題】
【０００７】
特許文献４の物干しハンガーは、洗濯物の幅に応じてピンチの幅を調整するため、洗濯物を無理に引っ張ったり、大きく弛んだ状態で干すことが無くなるという利点がある。
【０００８】
本考案の目的は、数多くの洗濯物を干しても変形し難い物干しハンガーを提供することにある。
【０００９】
本考案の更なる目的は、洗濯物の片寄りを防止できる物干しハンガー及びハンガーセットを提供することにある。
【００１０】
本考案の更なる目的は、一つの洗濯物を複数のピンチで干すときに、洗濯物の幅に適度に一致したピンチ間の間隔を作ることのできる物干しハンガー及びハンガーセットを提供することにある。
【課題を解決するための手段】
【００１１】
上記の技術的課題は、本考案の第１の観点によれば、
物干し竿にフック掛けする物干しハンガーであって、
平面視したときにハンガーの外形輪郭を規定するメインフレームと、
該メインフレームの延び方向に略等間隔にチェーンを介して取り付けられた複数の外周ピンチと、
前記メインフレームの内部に設けられ、該メインフレームに連設されたサブフレームとを有し、
前記サブフレームが、互いに交差する複数のメンバで構成され、
該メンバに、前記外周ピンチとは別のフックピンチを脱着可能にフック掛けすることにより、ピンチの数を追加することができることを特徴とする物干しハンガーを提供することにより達成される。
【００１２】
また、上記の技術的課題は、本考案の第２の観点によれば、
物干し竿にフック掛けする物干しハンガーと、フックピンチの群との組み合わせからなるハンガーセットであって；
前記物干しハンガーが、
平面視したときにハンガーの外形輪郭を規定するメインフレームと、
該メインフレームの延び方向に略等間隔にチェーンを介して取り付けられた複数の外周ピンチと、
前記メインフレームの内部に設けられ、該メインフレームに連設されたサブフレームであって、互いに交差する複数のメンバで構成されたサブフレームとを有し；
前記フックピンチが、チェーンを介して連結されたフックを有し；
任意の数の前記フックピンチを前記サブフレームの前記メンバに脱着可能にフック掛けすることにより、ピンチの数を追加することができることを特徴とするハンガーセットを提供することにより達成される。
【００１３】
また、上記の技術的課題は、本考案の第３の観点によれば、
物干し竿にフック掛けする物干しハンガーと、フックピンチの群との組み合わせからなるハンガーセットであって；
前記物干しハンガーが、
該物干しハンガーの平面視矩形の外形輪郭を規定するメインフレームと、
該メインフレームの延び方向に略等間隔に取り付けられた複数の外周ピンチと、
前記メインフレームの内部に設けられ、該メインフレームに連設されたサブフレームとを有し、
前記サブフレームが、前記メインフレームの長手方向に延び且つ互いに平行に延びる複数の縦メンバと、前記メインフレームの横方向に延び且つ互いに平行に延びる複数の横メンバとで構成されると共に、前記縦メンバと前記横メンバとが互いに直角に交差した格子状のフレーム構造を有し；
前記フックピンチが、チェーンを介して連結されたフックを有し；
任意の数の前記フックピンチを前記縦メンバ及び／又は前記横メンバに脱着可能にフック掛けすることにより、ピンチの数を追加することができることを特徴とするハンガーセットを提供することにより達成される。
【００１４】
すなわち、本考案によれば、互いに交差する複数のメンバで構成されたサブフレームをメインフレームに連設してあるため、数多くの洗濯物を干しても変形し難いという利点に加えて、フックピンチを、サブフレームを構成するメンバに脱着可能にフック掛けすることでピンチの数を追加することができる。また、一つの洗濯物を複数のピンチで干すときに、サブフレームの適当な位置にフックピンチを追加することで洗濯物の幅に適度に一致したピンチ間の間隔を作ることができる。また、フックピンチの移動は、互いに交差するメンバが交差する部分で規制されるため、隣接するフックピンチ同士又はフックピンチと外周ピンチとの間が必要以上に接近することはなく、これより洗濯物が片寄ったり又は互いに重なり合ってしまうのを防止でき、また、複数のピンチを使って干した洗濯物が弛みすぎた状態になってしまうのを防止することができる。
【図面の簡単な説明】
【００１５】
【図１】物干しハンガーと、フックピンチの群とで構成された実施例のハンガーセットを示す図である。
【図２】図１の物干しハンガーのサブフレーム部分を抽出した部分拡大図であり、サブフレームを構成する縦ロッド、横ロッドにフックピンチをフック掛けできることを説明するための図である。
【図３】図１に含まれる物干しハンガーに洗濯物を干した状態を示す使用説明図である。
【図４】第１変形例の平面視矩形の物干しハンガーのフレーム構造を説明するための平面図であり、この第１変形例の物干しハンガーは、格子の開口が千鳥状に配置されたサブフレームを備えている。
【図５】第２変形例の平面視矩形の物干しハンガーのフレーム構造を説明するための平面図であり、この第２変形例の物干しハンガーのサブフレームは２つのコ字状メンバを含んでいる。
【図６】第３変形例の平面視円形の物干しハンガーのフレーム構造を説明するための平面図であり、この第３変形例の物干しハンガーのサブフレームは２つの円形のリング状メンバを備えている。
【考案を実施するための形態】
【実施例】
【００１６】
以下に、添付の図面に基づいて本考案の好ましい実施例を説明する。図１は、実施例のハンガーセット１を示す。ハンガーセット１は、物干しハンガー２と、フックピンチの群４とからなる。
【００１７】
物干しハンガー２は、ハンガー２を平面視したときに、その外形輪郭を規定する平面視矩形の合成樹脂製メインフレーム２００と、メインフレーム２００の四隅に連結された合計４本のチェーン２０２と、各チェーン２０２の上端が連結された中継プレート２０４と、この中継プレート２０４の中心に配設された吊り下げフック２０６とを有し、吊り下げフック２０６は、その開口が、バネ付勢されるレバー２０８によって常時閉じられている。
【００１８】
平面視矩形のメインフレーム２００は、互いに対向した２つのコ字状のハーフフレーム２１０の端同士をヒンジピン２１２で連結した構造を有し、これによりメインフレーム２００は、物干しハンガー２を収納するときに２つ折りの状態にすることができる。このような構成は、従来から周知であるので詳しい説明は省略するが、メインフレーム２００の形状は、図示の例のように平面視矩形に限定されず、平面視したときに楕円や円形の形状であってもよい。また、実施例では、上述したときに折り畳み可能なメインフレーム構造を採用しているが、必ずしも折り畳み式でなくてもよい。
【００１９】
コ字状の各ハーフフレーム２１０には、格子状のサブフレーム２１４が連設されている。図１の一部を抽出した図２をも参照して、サブフレーム２１４は、互いに平行に延びる複数本の第１のメンバである縦メンバ２１６及び互いに平行に延びる複数本の第２のメンバである横メンバ２１８とで構成されている。そして、この実施例では、各格子を構成する各横メンバ２１８が一本のロッドで構成され、互いに隣接する２本の横メンバ２１８、２１８の間の複数の縦メンバ２１６が横メンバ２１８に対して直角に連結されることで四角形の開口Ｏpを備えた格子状のフレーム構造が形成されている。サブフレーム２１４は金属製であってもよいが、合成樹脂製であるのがよく、一般的にはハーフフレーム２１０と一体成形される。
【００２０】
互いに直交する第１のメンバつまり縦メンバ２１６及び第２のメンバつまり横メンバ２１８は、この実施例では断面円形であり、同じ直径を備えているが、非円形の例えば多角形や楕円の断面形状であってもよく、また、縦メンバ２１６のロッドの太さと横メンバ２１８のロッドの太さが異なっていてもよい。
【００２１】
図１に戻って、平面視矩形のメインフレーム２００には、従来と同様に各ハーフフレーム２１０の延び方向に略等間隔に配設された複数の外周ピンチ２２０がチェーン２２２を介して取り付けられている。
【００２２】
物干しハンガー２と一緒にセット販売されるフックピンチの群４は、この実施例では、合計３０個のフックピンチ４００で構成されているが、この数は任意である。
【００２３】
各フックピンチ４００は、ピンチ４０２と、このピンチ４０２にチェーン４０４を介して連結されたフック４０６とで構成されている。なお、フック４０６は一般的に合成樹脂材料から作れるが金属製であってもよい。
【００２４】
図３は、物干しハンガーセット１の使用例を示す。物干しハンガー２は、左右のハーフフレーム２１０を展開した状態で、従来と同様に、吊り下げフック２０６を使って物干し竿６に吊り下げられる。メインフレーム２００から垂下する外周ピンチ２２０を使って洗濯物Ｌを干すことができる。もし、洗濯物Ｌが多いときには、適当な数のフックピンチ４００をサブフレーム２１４の縦メンバ２１６又は横メンバ２１８にフック掛けすることで補うことができる。
【００２５】
図２から容易に理解できるように、フックピンチ４００は、そのフック４０６の開口４０８を通じて縦メンバ２１６、横メンバ２１８にフック４０６を掛けることによりサブフレーム２１４に組み付けることができる。フック４０６の開口４０８は、フック４０６の弾性変形を伴って縦メンバ２１６、横メンバ２１８を出し入れできるように設計するのが好ましい。
【００２６】
消費者が入手するハンガーセット１には、合計３０個のフックピンチ４００が用意されている。このことにより、洗濯物Ｌに対応した数のフックピンチ４００をサブフレーム２１４にフック掛けすることで、物干しハンガー２に沢山の洗濯物Ｌを干すことができる。また、メインフレーム２００の内部に格子状のフレーム構造のサブフレーム２１４を有していることから、物干しハンガー２の剛性を高めることができ、大量の洗濯物Ｌを吊したとしても物干しハンガー２が変形してしまうのを防止することができる。
【００２７】
物干しハンガー２に組み付けたフックピンチ４００は、格子状のサブフレーム２１４を構成する縦メンバ２１６と横メンバ２１８とが互いに交差する部分によって、その移動距離が規制されるため、隣接するフックピンチ４００同士が必要以上に接近することはなく、これより洗濯物Ｌが互いに重なり合うのを防止することができる。
【００２８】
また、サブフレーム２１４の各格子の開口Ｏpを小さく設定することで、つまり、互いに隣接する２本の縦メンバ２１６の間隔及び／又は互いに隣接する２本の横メンバ２１８の間隔を小さく設定することで、フックピンチ４００の許容可能な可動範囲を小さくすることができる。一般的に、フックピンチ４００をサブフレーム２１４に組み込むときには、フックピンチ４０のフック４０６を開口Ｏpの下方から上方に突き抜けさせた後に縦メンバ２１６又は横メンバ２１８にフック掛けすることになることから、開口Ｏpを極力小さく設定したいときには、フックピンチ４０のフック４０６を通過させることのできる略必要最小限の大きさに開口Ｏpを設定するのが好ましい。
【００２９】
また、物干しハンガー２の効果として、図３の使用例のように、メインフレーム２００の内部に位置するフックピンチ４００を使って下着類Ｌを吊り下げ、メインフレーム２００の外周ピンチ２２０を使ってタオルなどの幅広且つ長尺の洗濯物Ｌを吊り下げることで、幅広且つ長尺の洗濯物Ｌで下着類を目隠しすることができるため、女性にとって都合が良い。更に、例えば、外周ピンチ２２０と対に使用するフックピンチ４００を適当な縦メンバ２１６や横メンバ２１８にセットすることで、外周ピンチ４００とフックピンチ４００との組を洗濯物Ｌの幅に適合させることができることから、例えばタオルなどの洗濯物Ｌが弛みすぎた状態になるのを防止することができる。
【００３０】
図４〜図６は第１〜第３の変形例を説明するための平面図である。これらの変形例の説明において上述した実施例の物干しハンガー２と同一の要素には同一の参照符号を付すことにより、その説明を省略する。なお、図４〜図６は、物干しハンガーのフレーム構造だけを図示したものであり、前述したチェーン２０２、吊り下げフック２０６、外周ピンチ２２０などは図示を省略してある。
【００３１】
図４は、第１変形例の物干しハンガー８のメインフレーム２００（ハーフフレーム２１０）とサブフレーム８０２を示す。この第１変形例のサブフレーム８０２は、第１メンバである縦メンバ８０４が千鳥状に配置され、他方、第２メンバである横メンバ８０６は直列に連続している。この第１変形例の物干しハンガー８によれば、縦メンバ８０４と、これに直交する横メンバ８０６とでサブフレーム８０２が構成されている点は、上述した実施例と同じであるが、サブフレーム８０２の縦横のメンバ８０４、８０６によって形成される開口Ｏpが千鳥状に配置された格子状のフレーム構造を備えている点で、上述した実施例とは異なっている。したがって、この第１変形例の物干しハンガー８によれば、縦横のメンバ８０４、８０６が形成する四角形の開口Ｏpの面積が上述した実施例と同じであってとしても、このサブクレーム８０２に係止した吊り下げフック２０６の許容される移動距離を上述した実施例よりも小さくすることができる。
【００３２】
図５は、第２変形例の物干しハンガー１０のメインフレーム２００（ハーフフレーム２１０）とサブフレーム１１２を示す。この第２変形例のサブフレーム１１２は、４つのメンバ（メインフレーム２００を含む）で開口Ｏpが形成されているのは、前述した実施例及び第１変形例と共通である。この第２変形例のサブフレーム１１２は、ハーフフレーム２１０と相似形の２つの平面視コ字状の第１、第２のメンバ１１６、１１８を有し、ハーフフレーム２１０、第１、第２のコ字状メンバ１１６、１１８の間が追加のメンバ１２０で互いに連結され、また、最も小さな第２のコ字状メンバ１１８の中が、互いに直交する第１メンバ（縦メンバ）１２２、第２メンバ（横メンバ）１２４で四角形の開口Ｏpが形成されている。
【００３３】
図６は、第３変形例の物干しハンガー１４を示す。この第３変形例の物干しハンガー１４は、平面視円形の折り畳み不能なメインフレーム１４２と、この円形メインフレーム１４２の内部に連設されたサブフレーム１４４とで構成されている。サブフレーム１４４は、直径の異なる第１〜第３の３つの平面視円形のリングメンバ１４６、１４８、１５０と、これら第１〜第３のリングメンバ１４６、１４８、１５０及び円形メインフレーム１４２の間を連結する追加のメンバ１５２とで構成され、追加のメンバ１５２は半径方向に延びている。
【００３４】
この第３変形例の物干しハンガー１４では、第１〜第３のリングメンバ１４６、１４８、１５０や円形メインフレーム１４２と、これらの間を連結し且つ円周方向に隣接する２本の追加のメンバ１５２とによって、略扇状の開口Ｏpが形成されている。この第３変形例の物干しハンガー１４にあっても、開口Ｏpが、実質的に、サブフレーム１４４の４つのメンバ１４６、１４８、１５２又はサブフレーム１４４の３つのメンバ１５２、１４６と円形メインフレーム１４２によって形成される点で、上述した実施例及び第１、第２の変形例と共通である。また、サブフレーム１４４を構成するメンバ１４６、１４８、１５２にフックピンチ４００をフック掛けすることで、物干しハンガー１４のピンチの数を追加することができるのも上述した実施例及び第１、第２の変形例と共通である。
【００３５】
以上、本考案の実施例を説明したが、本考案はこれに限定されず、例えば実施例（図１〜図３）のサブフレーム２１４の格子を構成する第１のメンバである縦メンバ２１６のロッドの太さと、第２のメンバである横メンバ２１８のロッドの太さとを異ならせ、細い方のメンバ２１６又は２１８に限定してフックピンチ４００を係止させるようにしてもよい。
【符号の説明】
【００３６】
１    物干しハンガーセット
２    物干しハンガー
２００  メインフレーム
２０６  吊り下げフック
２１０  ハーフフレーム
２１２  ヒンジピン
２１４  サブフレーム
２１６  縦メンバ（第１のメンバ）
２１８  横メンバ（第２のメンバ）
２２０  外周ピンチ
４    フックピンチの組
４００  フックピンチ
４０２  追加のピンチ
４０６  フックピンチのフック
Ｏp   ４つのメンバで形成される開口
Ｌ    洗濯物
【図１】
0003152969.tif 000003
【図２】
0003152969.tif 000004
【図３】
0003152969.tif 000005
【図４】
0003152969.tif 000006
【図５】
0003152969.tif 000007
【図６】
0003152969.tif 000008